(57)【要約】【課題】音声信号の出力先を内蔵スピーカと外部音声出力デバイスとで切り替え可能な場合に、ユーザが好適に音量調整を行うことが可能な音声再生装置を提供すること。【解決手段】音声再生装置は、内蔵スピーカと、外部音声出力デバイスを接続可能な外部出力手段と、ユーザが音声信号の音量を操作するための音量操作手段と、前記音量操作手段のユーザ操作に応じて前記音声信号の音量調整を行う音声調整処理を実行する音量調整手段と、前記音声信号の出力先を、前記外部出力手段に前記外部音声出力デバイスが接続されている場合には前記外部出力手段に切り替え、前記外部出力手段に前記外部音声出力デバイスが接続されていない場合には前記内蔵スピーカに切り替える切り替え手段と、を備え、前記音量調整手段は、前記音量調整処理では、前記音声信号の出力先に応じて異なる音量調整を行う。【選択図】  図１
2017069925.tif 000002
【特許請求の範囲】
【請求項１】
内蔵スピーカと、
外部音声出力デバイスを接続可能な外部出力手段と、
ユーザが音声信号の音量を操作するための音量操作手段と、
前記音量操作手段のユーザ操作に応じて前記音声信号の音量調整を行う音声調整処理を実行する音量調整手段と、
前記音声信号の出力先を、前記外部出力手段に前記外部音声出力デバイスが接続されている場合には前記外部出力手段に切り替え、前記外部出力手段に前記外部音声出力デバイスが接続されていない場合には前記内蔵スピーカに切り替える切り替え手段と、
を備え、
前記音量調整手段は、前記音量調整処理では、前記音声信号の出力先に応じて異なる音量調整を行うことを特徴とする音声再生装置。
【請求項２】
前記音量操作手段は、前記音声信号の音量を増加させるための増加ボタンと、前記音声信号の音量を減少させるための減少ボタンとを含むボリュームボタンであることを特徴とする請求項１に記載の音声再生装置。
【請求項３】
前記音量調整手段は、前記音声信号の出力先が前記内蔵スピーカである場合は、前記音声信号の出力先が前記外部出力手段である場合に比して、前記減少ボタンの操作量に対して、前記音声信号の音量の減少量が大きくなるように制御することを特徴とする請求項２に記載の音声再生装置。
【請求項４】
前記音量調整手段は、前記音声信号の出力先が前記外部出力手段である場合は、前記音声信号の出力先が前記内蔵スピーカである場合に比して、前記増加ボタンの操作量に対して、前記音声信号の音量の増加量が小さくなるように制御することを特徴とする請求項２又は請求項３に記載の音声再生装置。
【請求項５】
前記外部出力手段は、外部出力端子であり、前記外部音声出力デバイスは、イヤホン又はヘッドホンであることを特徴とする請求項１〜請求項４のいずれか１つに記載の音声再生装置。
【請求項６】
前記音量調整手段は、前記音量調整処理において、前記音声信号の出力先に拘わらず同じ音量調整を行う第１のモードと、前記音声信号の出力先に応じて異なる音量調整を行う第２のモードと、を有することを特徴とする請求項１〜請求項４のいずれか１つに記載の音声再生装置。
【請求項７】
前記第１のモードと前記第２のモードは、ユーザが選択可能であることを特徴とする請求項１〜請求項６のいずれか１つに記載の音声再生装置。
【請求項８】
ユーザが音声信号の音量を操作するための音量操作手段のユーザ操作に応じて音声信号の音量調整を行う音声調整処理を実行する音量調整工程と、
前記音声信号の出力先を、外部出力手段に外部音声出力デバイスが接続されている場合には外部出力手段に切り替え、前記外部出力手段に前記外部音声出力デバイスが接続されていない場合には内蔵スピーカに切り替える切り替え工程と、
を含み、
前記音量調整工程では、前記音量調整処理において、前記音声信号の出力先に応じて異なる音量調整を行うことを特徴とする音声再生方法。
【請求項９】
音声再生装置に搭載されるプログラムであって、
ユーザが音声信号の音量を操作するための音量操作手段のユーザ操作に応じて音声信号の音量調整を行う音声調整処理を実行する音量調整工程と、
前記音声信号の出力先を、外部出力手段に外部音声出力デバイスが接続されている場合には外部出力手段に切り替え、前記外部出力手段に前記外部音声出力デバイスが接続されていない場合には内蔵スピーカに切り替える切り替え工程と、
をコンピュータに実行させ、
前記音量調整工程では、前記音量調整処理において、前記音声信号の出力先に応じて異なる音量調整を行うことを特徴とするコンピュータが実行可能なプログラム。
【発明の詳細な説明】
【技術分野】
【０００１】
本発明は、音声再生装置、その音声再生方法、及びコンピュータが実行可能なプログラムに関する。  
【背景技術】
【０００２】
近年、スマートフォンや携帯電話機などの携帯端末装置は、多機能化が進んでおり、ネットワーク環境やローカル環境で音楽やビデオを再生できるものが多い。かかる携帯端末装置は、一般に、本体に内蔵された内蔵スピーカと、イヤホンやヘッドホンなどの外部音声出力デバイスを接続する外部Ｉ／Ｆ部とを備えている。ユーザは、使用環境に応じて、音声信号の出力先を内蔵スピーカと外部音声出力デバイスとに切り替えることができるようになっている。この切り替えは、外部音声出力機器のプラグを携帯端末装置のジャック（外部Ｉ／Ｆ部）に抜き差しすることにより行われる。通常、携帯端末装置のジャックにイヤホンやヘッドホンなどの外部音声出力デバイスのプラグが差されている状態では、音声信号の出力先が外部音声出力デバイスとなり、携帯端末装置のジャックに外部音声出力デバイスのプラグを差されていない状態では、音声信号の出力先が内蔵スピーカになる。
【先行技術文献】
【特許文献】
【０００３】
【特許文献１】特開２００７−１３４８３１号公報
【発明の概要】
【発明が解決しようとする課題】
【０００４】
例えば、ユーザが、携帯端末装置のジャックにイヤホンのプラグを差して音楽を聞いている状態で、ユーザの意図に反して、イヤホンのプラグがジャックから抜けて、内蔵スピーカから大音量の音声が出力されてユーザを驚かせてしまう場合がある。特に、電車やバス等の公共の場では他人にも迷惑をかけてしまう。この場合、ユーザは、一刻も早く消音したいが、音量ボタンを押しても、徐々に音量が下がるだけで直ぐには消音されないため、ユーザの使い勝手が悪いという問題がある。
【０００５】
そのため、音声信号の出力先を内蔵スピーカと外部音声出力デバイスとで切り替え可能な装置において、ユーザが好適に音量調整を行うことが可能な装置が望まれる。
【０００６】
本発明は、上記に鑑みてなされたものであり、音声信号の出力先を内蔵スピーカと外部音声出力デバイスとで切り替え可能な場合に、ユーザが好適に音量調整を行うことが可能な音声再生装置、その音声再生方法、及びコンピュータが実行可能なプログラムを提供することを目的とする。
【課題を解決するための手段】
【０００７】
上述した課題を解決し、目的を達成するために、本発明は、内蔵スピーカと、外部音声出力デバイスを接続可能な外部出力手段と、ユーザが音声信号の音量を操作するための音量操作手段と、前記音量操作手段のユーザ操作に応じて前記音声信号の音量調整を行う音声調整処理を実行する音量調整手段と、前記音声信号の出力先を、前記外部出力手段に前記外部音声出力デバイスが接続されている場合には前記外部出力手段に切り替え、前記外部出力手段に前記外部音声出力デバイスが接続されていない場合には前記内蔵スピーカに切り替える切り替え手段と、を備え、前記音量調整手段は、前記音量調整処理では、前記音声信号の出力先に応じて異なる音量調整を行うことを特徴とする音声再生装置。
【０００８】
また、本発明の好ましい態様によれば、前記音量操作手段は、前記音声信号の音量を増加させるための増加ボタンと、前記音声信号の音量を減少させるための減少ボタンとを含むボリュームボタンであることを特徴とする。
【０００９】
また、本発明の好ましい態様によれば、前記音量調整手段は、前記音声信号を前記内蔵スピーカに出力する場合は、前記音声信号を前記外部出力手段に出力する場合に比して、前記減少ボタンの操作量に対して、前記音声信号の音量の減少量が大きくなるように制御することを特徴とする。
【００１０】
また、本発明の好ましい態様によれば、前記音量調整手段は、前記音声信号の出力先が前記内蔵スピーカである場合は、前記音声信号の出力先が前記外部出力手段である場合に比して、前記減少ボタンの操作量に対して、前記音声信号の音量の減少量が大きくなるように制御することが望ましい。
【００１１】
また、本発明の好ましい態様によれば、前記音量調整手段は、前記音声信号の出力先が前記外部出力手段である場合は、前記音声信号の出力先が前記内蔵スピーカである場合に比して、前記増加ボタンの操作量に対して、前記音声信号の音量の増加量が小さくなるように制御することが望ましい。
【００１２】
また、本発明の好ましい態様によれば、前記外部出力手段は、外部出力端子であり、前記外部音声出力デバイスは、イヤホン又はヘッドホンであることが望ましい。
【００１３】
また、本発明の好ましい態様によれば、前記音量調整手段は、前記音量調整処理において、前記音声信号の出力先に拘わらず同じ音量調整を行う第１のモードと、前記音声信号の出力先に応じて異なる音量調整を行う第２のモードと、を有することが望ましい。
【００１４】
また、本発明の好ましい態様によれば、前記第１のモードと前記第２のモードは、ユーザが選択可能であることが望ましい。
【００１５】
また、上述した課題を解決し、目的を達成するために、本発明は、ユーザが音声信号の音量を操作するための音量操作手段のユーザ操作に応じて音声信号の音量調整を行う音声調整処理を実行する音量調整工程と、前記音声信号の出力先を、外部出力手段に外部音声出力デバイスが接続されている場合には外部出力手段に切り替え、前記外部出力手段に前記外部音声出力デバイスが接続されていない場合には内蔵スピーカに切り替える切り替え工程と、を含み、前記音量調整工程では、前記音量調整処理において、前記音声信号の出力先に応じて異なる音量調整を行うことを特徴とする。
【００１６】
また、上述した課題を解決し、目的を達成するために、本発明は、音声再生装置に搭載されるプログラムであって、ユーザが音声信号の音量を操作するための音量操作手段のユーザ操作に応じて音声信号の音量調整を行う音声調整処理を実行する音量調整工程と、前記音声信号の出力先を、外部出力手段に外部音声出力デバイスが接続されている場合には外部出力手段に切り替え、前記外部出力手段に前記外部音声出力デバイスが接続されていない場合には内蔵スピーカに切り替える切り替え工程と、をコンピュータに実行させ、前記音量調整工程では、前記音量調整処理において、前記音声信号の出力先に応じて異なる音量調整を行うことを特徴とする。
【発明の効果】
【００１７】
本発明によれば、音声信号の出力先を内蔵スピーカと外部音声出力デバイスとで切り替え可能な場合に、ユーザが好適に音量調整を行うことが可能な音声再生装置を提供することが可能になるという効果を奏する。
【図面の簡単な説明】
【００１８】
【図１】図１は、実施の形態に係る音声再生装置の模式図である。
【図２】図２は、本実施例に係る携帯型端末装置の外観を示す斜視図である。
【図３】図３は、本実施の形態に係る携帯型端末装置の外観を示す背面図である。
【図４】図４は、本実施例に係る携帯型端末装置のハードウェア構成例を示す図である。
【図５】図５は、ボリュームボタンの「−」ボタンの操作量とボリューム値の減衰関係の一例を説明するための特性図である。
【図６】図６は、ボリュームボタンの「＋」ボタンの操作量とボリューム値の増加関係の一例を説明するための特性図である。
【図７】図７は、第１のモードと第２のモードを説明するためのテーブルを示す図である。
【図８】図８は、制御部の制御により実行される音声調整処理の一例を説明するためのフローチャートである。
【発明を実施するための形態】
【００１９】
以下、本実施の形態に係る音声再生装置、音声再生方法、及びコンピュータが実施可能なプログラムの実施の形態について説明する。本発明の構成要素は、本明細書の図面に一般に示してあるが、様々な構成で広く多様に配置し設計してもよいことは容易に理解できる。したがって、本発明の装置、方法、及びプログラムの実施の形態についての以下のより詳細な説明は、特許請求の範囲に示す本発明の範囲を限定するものではなく、単に本発明の選択した実施の形態の一例を示すものであって、本明細書の特許請求の範囲に示す本発明と矛盾無く装置、システム及び方法についての選択した実施の形態を単に示すものである。当業者は、特定の細目の１つ以上が無くても、又は他の方法、部品、材料でも本発明を実現できることが理解できる。
【００２０】
（実施の形態）
図１は、実施の形態に係る音声再生装置の模式図である。音声再生装置は、例えば、スマートフォン、携帯電話端末、タブレット、ノートＰＣ、デスクトップＰＣ、音声再生プレーヤー、ゲーム機、ステレオコンポーネント、テレビ装置等である。図１に示すように、音声再生装置１は、内蔵スピーカ１０と、外部出力手段１１と、音量操作手段１２と、音量調整手段１３と、切り替え手段１４とを備えている。
【００２１】
内蔵スピーカ１０は、切り替え手段１４から入力される音声信号を外部に放音する。外部出力手段１１は、外部音声出力デバイス２０と有線又は無線で接続するためのものであり、切り替え手段１４から入力される音声信号を外部音声出力デバイス２０に出力する。
【００２２】
例えば、外部出力手段１１は、アナログ式の外部出力端子（例えば、イヤホンジャック等）、デジタル式の外部出力端子（例えば、ＵＳＢ端子等）、無線通信部（例えば、Bluetooth（登録商標）通信部、ＷｉＦｉ通信部）で構成してもよい。
【００２３】
外部音声出力デバイス２０は、例えば、有線方式（アナログ又はデジタル（例えば、ＵＳＢ））又は無線方式（例えば、Bluetooth（登録商標）、ＷｉＦｉ等）のイヤホン、ヘッドセット、スピーカ等である。
【００２４】
音量操作手段１２は、ユーザが音声信号の音量（ボリューム）を設定するためのものであり、例えば、物理的なボリュームボタン又はタッチパネルのボリュームボタンやボリュームバー等である。ボリュームボタンは、音声信号の音量を増加させるための増加ボタン（例えば、「＋」ボタン）と、音声信号の音量を減少させるための減少ボタン（「−」ボタン）と、を含んでいてもよい。
【００２５】
切り替え手段１４は、音声信号の出力先を、外部出力手段１１に外部音声出力デバイス２０が接続されている場合には外部出力手段１１に切り替え、外部出力手段１１に外部音声出力デバイス２０が接続されていない場合には内蔵スピーカ１０に切り替える。
【００２６】
音量調整手段１３は、音量操作手段１２のユーザ操作に応じて音声信号の音量調整を行う音声調整処理を実行する。かかる音声調整処理では、音声信号の出力先に応じて異なる音量調整を行うことにしてもよい。また、音量調整手段１３は、音声調整処理において、音声信号の出力先に拘わらず同じ音量調整を行う第１のモードと、音声信号の出力先に応じて異なる音量調整を行う第２のモードと、を備えていてもよい。
【００２７】
第１のモードと第２のモードをユーザがユーザインターフェイスを介して選択可能な構成として、音量調整手段１３は、ユーザにより選択されたモードを実行することにしてもよい。また、音量調整手段１３は、外部出力手段１１に接続される外部音声出力デバイス２がイヤホンやヘッドホンである場合は、第２のモードを実行し、外部出力手段１１に接続される外部音声出力デバイス２がスピーカである場合には、第１のモードを実行してもよい。
【００２８】
例えば、第２のモードでは、音声信号を内蔵スピーカ１０に出力する場合は、外部出力手段１１に出力する場合に比して、ボリュームボタンの減少ボタンの操作量に対して音声信号の音量の減少量が大きくなるように制御してもよい。また、第２のモードでは、音声信号を外部出力手段１１に出力する場合は内蔵スピーカ１０に出力する場合に比して、音声信号の音量の増加量が小さくなるように制御してもよい。ここで、ボタンの操作量とは、ボタンの押下時間又は押下回数である。
【００２９】
以上説明したように、本実施の形態によれば、内蔵スピーカ１０と、外部音声出力デバイスを接続可能な外部出力手段１１と、ユーザが音声信号の音量を操作するための音量操作手段１２と、音量操作手段１２の操作に応じて音声信号の音量調整を行う音量調整手段１３と、音声信号の出力先を、内蔵スピーカ１０又は外部出力手段１１に切り替える切り替え手段１４と、を備え、音量調整手段１３は、音声調整処理では、音声信号の出力先に応じて異なる音量調整を行うこととしたので、音声信号の出力先を内蔵スピーカと外部音声出力デバイスとで切り替え可能な装置において、ユーザが好適に音量調整を行うことが可能となる。
【００３０】
（実施例）
図２−図８を参照して、上記実施の形態に係る音声再生装置を、スマートフォン等の携帯型端末装置に適用した場合の一実施例を説明する。図２は、本実施例に係る携帯型端末装置の外観を示す斜視図である。図３は、本実施の形態に係る携帯型端末装置の外観を示す背面図である。
【００３１】
図２及び図３に示すように、携帯型端末装置３０は、略六面体形状の筐体３１を備えている。筐体３１の表面のうち一方側の面を正面３１Ａ、正面３１Ａに対向する他方側の面を背面３１Ｃ、筐体３１の表面のうち正面３１Ａと背面３１Ｃに挟まれた面を側面３１Ｂ
とする。スマートフォン３０は、筐体３１の正面３１Ａに、タッチセンサ４１Ａ及び表示部４１Ｂで構成されるタッチ表示部４１と、レシーバ４２とが配置されている。
【００３２】
タッチ表示部４１は、文字、図形、画像等の情報を表示するとともに、指、スタイラス、ペン等（以下、「指示体」と称する）を用いてタッチセンサ４１Ａに対して行われる各種操作を検出する。タッチセンサ４１Ａが各種操作を検出する方式は、静電容量式、感圧式等の方式を採用することができる。
【００３３】
筐体３０の左側の側面３１Ｂには、ボリュームボタン４４が配置されている。ボリュームボタンは、ユーザが音声信号のボリュームを操作するためのものであり、ボリュームを増加させるための「＋」ボタン４４ａと、ボリュームを減少させるための「−」ボタン４４ｂを含んでいる。
【００３４】
筐体３０の右側の側面３１Ｂには、電源ボタン４８（図４参照）が配置されている。また、筐体３０の下側の側面３１Ｂには、イヤホンやヘッドホン等の外部音声出力デバイス８０のプラグが接続される外部出力端子４５、マイク４６、内蔵スピーカ４７が配置されている。
【００３５】
図４は、本実施例に係る携帯型端末装置のハードウェア構成例を示す図である。携帯型端末装置３０は、図４に示すように、制御部５０と、メモリ５１と、電源部５３と、通信部５４と、タッチ表示部４１（タッチセンサ４１Ａ、表示部４１Ｂ）と、音声処理部６０と、操作部７０と、レシーバ４２と、マイク４６を備えている。
【００３６】
タッチ表示部４１は、表示部４１Ｂと、表示部４１Ｂに重畳されたタッチセンサ４１Ａとを有する。タッチセンサ４１Ａは、指やペン等の指示体を用いてタッチセンサ４１Ａに対して行われた各種操作を、操作が行われた場所のタッチセンサ４１Ａ上での位置とともに検出し、制御部５０に通知する。タッチセンサ４１Ａによって検出される操作には、タッチ操作、スワイプ操作、及びピッチ操作が含まれる。表示部４１Ｂは、例えば、液晶ディスプレイ（ＬＣＤ：Liquid  Crystal  Display）や、有機ＥＬ（Organic  Electro−Luminescence）パネルなどで構成され、文字や図形等を表示する。
【００３７】
操作部７０は、ボリュームボタン４４や電源ボタン４８等の各種ボタンを備えており、ボタンを通じてユーザの操作を受け付け、受け付けた操作に対応する指示信号を制御部５０へ送信する。
【００３８】
電源部５３は、制御部５０の制御に従って、蓄電池又は外部電源から得られる電力を、制御部５０を含む携帯型端末装置３０の各部へ供給する。
【００３９】
通信部５４は、基地局によって割り当てられるチャネルを介し、基地局との間で所定の通信方式による無線信号回線を確立し、基地局との間で電話通信及び情報通信を行う。レシーバ４２は、制御部５０から送信される音声信号を音声として出力する。マイク４６は、利用者等の音声を音声信号へ変換して制御部５０へ出力する。
【００４０】
メモリ５１は、例えば、ＲＡＭやＤＲＡＭ等で構成されており、制御部５０によって実行されるプログラム、制御部５０が参照するデータ、制御部５０の演算結果等が一時的に記憶されるワークエリアとして使用される。  
【００４１】
ストレージ５２は、制御部５０によって実行されるプログラムやデータ（音声データを含む）を保持するコンピュータで読み取り可能な記憶媒体であって、ＥＥＰＲＯＭやＳＳＤ等の不揮発性メモリである。ストレージ５２は、例えば、携帯型端末装置３０全体の制御を行うためのＯＳ、周辺機器類をハードウェア操作するための各種デバイスドライバ、
音楽再生用アプリ等の各種アプリを記憶する機能を有する。
【００４２】
音声処理部６０は、音声出力処理部６１と、切替部６２と、外部出力端子４５と、内蔵スピーカ４７とを備えている。音声出力処理部６１は、Ａ／Ｄ変換器、音声処理用ＬＳＩ、アンプ等を備え、制御部５０から入力される音声信号に対して、各種の信号処理を行う。また、音声出力処理部６１のアンプは、制御部５０から入力される音声信号に対して、制御部５０から入力されるボリューム値に応じた増幅率で増幅することにより音量調整し、音量調整後の音声信号を切替部６２に出力する。
【００４３】
切替部６２は、制御部５０から入力される出力先の切り替え指示に応じて、音声出力部６０から入力される音声信号を外部出力端子４５又は内蔵スピーカ４７に出力する。内蔵スピーカ４７は、切替部６２から入力される音声信号に応じた音声を出力する。外部出力端子４５は、例えば、アナログの出力端子であり、切替部６２から入力される音声信号を、接続される外部音声出力デバイス８０に出力する。
【００４４】
制御部５０は、例えば、ＣＰＵ（Central  Processing  Unit）、マイクロプロセッサ、ＤＳＰ等であり、携帯型端末装置３０の動作を統括的に制御して各種の機能（モード）を実現する。具体的には、制御部５０は、ストレージ５２に記憶されているデータやメモリ５１に展開したデータを必要に応じて参照しつつ、ストレージ５２に記憶されているプログラムに含まれる命令を実行して、タッチ表示部４１、操作部７０，音声処理部６０等を制御することによって各種機能（モード）を実現する。また、制御部５０は、音楽再生用アプリが起動した場合等に音声信号を音声処理部６０に出力して、外部に出力させる。制御部５０は、音声信号を外部に出力する際に、ボリュームボタン４４のユーザ操作に応じて音声信号の音量調整を制御する音量調整処理を実行する。
【００４５】
次に、制御部５０の制御により実行される音量調整処理を具体的に説明する。制御部５０は、外部出力端子４５に外部音声出力デバイス８０が接続されたことを検出する機能を有する。制御部５０は、音声処理部６０の切替部６２に対して、外部出力端子４５に外部音声出力デバイス８０が接続されている場合には、音声信号の出力先を外部出力端子４５に切り替えるように指示する一方、外部出力端子４５に外部音声出力デバイス８０が接続されていない場合には、音声信号の出力先を内蔵スピーカ４７に切り替えるように指示する。これに応じて、切替部６２は、制御部５０から入力される出力先の切り替え指示に応じて、音声信号の出力先を外部出力端子４５と内蔵スピーカ４７とで択一的に切り替える。
【００４６】
また、制御部５０は、ボリュームボタン４４の「＋」ボタン４４ａ及び「−」ボタン４４ｂに対するユーザの操作量に応じたボリューム値を設定し、設定したボリューム値を音声出力処理部６１に出力する。これに応じて、音声出力処理部６１のアンプは、制御部５０から入力されるボリューム値に応じた増幅率で音声信号を増幅することにより音量調整し、音量調整後の音声信号を切替部６２に出力する。
【００４７】
制御部５０は、音声信号の出力先に拘わらず同じ音量調整を行う第１のモードと、音声信号の出力先に応じて異なる音量調整を行う第２のモードとを備えている。第１のモードと第２のモードは、ユーザインターフェイスを介して（例えば、モード設定画面により）、ユーザが選択（設定）可能となっており、制御部５０は、ユーザにより選択されたモードを実行する。
【００４８】
図５は、ボリュームボタン４４の「−」ボタン４４ｂの操作量（押下時間又は押下回数）とボリューム値の減衰関係の一例を説明するための特性図である。なお、同図において、ボリューム値の開始値（ｙ切片）は一例である。同図において、縦軸はボリューム値、横軸は「−」ボタン４４ｂの操作量を示している。１００は、デフォルトの特性を示している。１０１は、デフォルトの特性１００に比して、「−」ボタン４４ｂの操作量に対して、減衰量（減少量）を大きくした特性となっている。特性１０１の場合は、ユーザは、「−」ボタン４４ｂの僅かな操作でボリューム値＝０（Ｍｕｔｅ）とすることができる。なお、ここでは、ボリューム値を連続的（アナログ的）に変化させているが、階段的（デジタル的）に変化させてもよい。
【００４９】
図６は、ボリュームボタン４４の「＋」ボタン４４aの操作量（押下時間又は押下回数）とボリューム値の増加関係の一例を説明するための特性図である。なお、同図において、ボリューム値の開始値（ｙ切片）は一例である。同図において、縦軸はボリューム値、横軸は「＋」ボタン４４ａの操作量を示している。２００は、デフォルトの特性を示している。２０１は、デフォルトの特性２００に比して、「＋」ボタン４４ｂの操作量に対して、増加量を小さくした特性となっている。特性２０１の場合は、ユーザは、「＋」ボタン４４ｂを操作して、ゆっくりボリューム値を上げることができる。なお、ここでは、ボリューム値を連続的（アナログ的）に変化させているが、階段的（デジタル的）に変化させてもよい。
【００５０】
図７は、第１のモードと第２のモードを説明するためのテーブルを示す図である。第１のモードでは、「−」ボタン４４ｂの操作量に対して、音声信号の出力先が内蔵スピーカ４７の場合と外部出力端子４５の場合とで同じデフォルトの特性１００（図５参照）に従って、ボリューム値を設定する。同様に、第１のモードでは、「＋」ボタン４４ａの操作量に対して、音声信号の出力先が内蔵スピーカ４７の場合と外部出力端子４５の場合とで同じデフォルトの特性２００（図６参照）に従って、ボリューム値を設定する。
【００５１】
第２のモードでは、「−」ボタン４４ｂの操作量に対して、音声信号の出力先が内蔵スピーカ４７の場合は特性１０１（図５参照）に従って、ボリューム値を設定し、音声信号の出力先が外部出力端子４５の場合はデフォルトの特性１００（図５参照）に従って、ボリューム値を設定する。また、第２のモードでは、「＋」ボタン４４ａの操作量に対して、音声信号の出力先が内蔵スピーカ４７の場合はデフォルトの特性２００（図６参照）に従って、ボリューム値を設定し、音声信号の出力先が外部出力端子４５の場合は特性２０１（図６参照）に従って、ボリューム値を設定する。第２モードでは、ユーザは、音声信号の出力先が内蔵スピーカ４７の場合は、外部出力端子４５の場合に比して、「−」ボタン４４ｂの僅かな操作でボリューム値＝０（Ｍｕｔｅ）とすることができる。また、第２モードでは、ユーザは、音声信号の出力先が外部出力端子４５の場合は、内蔵スピーカ４７の場合に比して、ユーザは、「＋」ボタン４４ａを操作して、ゆっくりボリューム値を上げることができる。
【００５２】
図５〜図７に示す特性図及びテーブルのデータはストレージ５２に記憶されており、制御部５０は、ストレージ５２に記憶されている、図５〜図７に示す特性図及びテーブルのデータを参照して、第１モード及び第２モードを実行する。
【００５３】
図８は、制御部５０の制御により実行される音声調整処理の一例を説明するためのフローチャートである。図８において、まず、制御部５０は、第１のモード又は第２のモードのいずれが選択されているかを判断する（ステップＳ１）。第１のモードが選択されている場合には、制御部１００は、「−」ボタン４４ｂ及び「＋」ボタン４４ｂの操作量に対して、デフォルトの特性１００及び２００に従ってボリューム値を設定（音量調整）する（ステップＳ２）。他方、ステップＳ１において、第２のモードが選択されている場合には、制御部５０は、音声信号の出力先は、内蔵スピーカ４７か外部出力端子４５かを判断する（ステップＳ３）。音声信号の出力先が内蔵スピーカ４７の場合は、制御部５０は、「−」ボタン４４ｂの操作量に対して、特性１０１の特性に従って（デフォルトよりも大きな減衰量）でボリューム値を設定（音量調整）し、「＋」ボタン４４ａの操作量に対して、デフォルトの特性２００に従ってボリューム値を設定（音量調整）する（ステップＳ４）。他方、ステップＳ４において、音声信号の出力先が外部出力端子４５の場合は、制御部５０は、「＋」ボタン４４ａの操作量に対して、特性２０１に従って（デフォルトより小さな増加量で）ボリューム値を設定（音量調整）し、「−」ボタン４４ｂの操作量に対して、デフォルトの特性１００に従ってボリューム値を設定（音量調整）する（ステップＳ５）。
【００５４】
上記実施例によれば、例えば、ユーザがイヤホンを外部出力端子４５に差して、イヤホンを使用して大音量で音楽を聴いている場合に、ユーザの意思に反してイヤホンが外部出力端子４５から外れて内蔵スピーカ４７から大音量の音楽が出力された場合でも、ユーザは、「−」ボタン４４ｂを操作して、直ぐにＭｕｔｅにすることができる。また、例えば、ユーザがイヤホンを外部出力端子４５に差して、イヤホンで音楽を聴いている場合に、「＋」ボタン４４ｂを操作して、ゆっくり音量を上げることができ、音量が急激に上がるのを防止してユーザの耳を保護することができる。
【符号の説明】
【００５５】
１  音声再生装置
２  外部音声出力デバイス
１０  内蔵スピーカ
１１  外部出力手段
１２  音量操作手段
１３  音量調整手段
１４  切り替え手段
３０  携帯型端末装置
３１  筐体
４１  タッチ表示部
４１Ａ  タッチセンサ
４１Ｂ  表示部
４２  レシーバ
４４  ボリュームボタン
４４ａ  「＋」ボタン
４４ｂ  「−」ボタン
４６  マイク
５０  制御部
５１  メモリ
５３  電源部
５４  通信部
６０  音声処理部
６１  音声出力処理部
６２  切替部
【図１】
2017069925.tif 000003
【図２】
2017069925.tif 000004
【図３】
2017069925.tif 000005
【図４】
2017069925.tif 000006
【図５】
2017069925.tif 000007
【図６】
2017069925.tif 000008
【図７】
2017069925.tif 000009
【図８】
2017069925.tif 000010